(57)【要約】【課題】小型の透過原稿照明ユニットの光源面端部の角が原稿フィルムに接触して、傷をつけることを防止する。【解決手段】小型の透過原稿照明ユニットをフィルムホルダーに嵌め込んで設置する構成とし、フィルムホルダーと透過原稿照明ユニットの双方に、透過原稿照明ユニットの光源面がフィルム原稿面に平行の状態でフィルムに近づくようなガイドを設けた。【選択図】      図５
2004363894.tif 000002
【特許請求の範囲】
【請求項１】
原稿を載置するための透明原稿台と、
透過原稿を、前記透明原稿台の所定位置に載置するための透過原稿ホルダーと、
前記透過原稿ホルダーに装着し、前記透過原稿を照明するための面光源を有する透過原稿照明ユニットと、
前記透過原稿照明ユニットにより照明された前記透過原稿の画像を前記透明原稿台を介して読み取るための画像読取ユニットとを有し、
前記透過原稿照明ユニットと前記透過原稿ホルダーは互いに勘合する凹凸を有し、前記透過原稿照明ユニットを前記透過原稿ホルダーに装着するときに、前記凹凸は、透過原稿照明ユニットの面光源の発光面が透明原稿台と略平行の状態で透明原稿台方向に移動するようにガイドすることを特徴とする画像読取装置。
【請求項２】
請求項１に記載の画像読取装置において、前記凹凸部の勘合するガイド面は、前記透明原稿台に略垂直な面であることを特徴とする。
【請求項３】
画像読取装置の透明原稿台の上に載置し、透過原稿の位置決めをする透過原稿ホルダーと、
前記透過原稿ホルダーに装着し、前記透過原稿を照明するための面光源を有する透過原稿照明ユニットとを有し、
前記透過原稿照明ユニットと前記透過原稿ホルダーは互いに勘合する凹凸を有し、前記透過原稿照明ユニットを前記透過原稿ホルダーに装着するときに、前記凹凸は、透過原稿照明ユニットの面光源の発光面が透明原稿台と略平行の状態で透明原稿台方向に移動するようにガイドすることを特徴とする透過原稿照明装置。
【発明の詳細な説明】
【０００１】
【発明の属する技術分野】
本発明は、透明原稿台上の透過原稿フィルムを透過原稿照明ユニットで照射して、照射された画像を透明原稿台を介して読取センサーにて読取る画像読取装置および照明装置に関するものである。
【０００２】
【従来の技術】
従来、透過原稿を読み取る画像読取装置には、縮小光学系の結像レンズにて結像された画像をＣＣＤ画像読取素子を用いて読取るものが多く、結像レンズの被写界深度が深かった。このため、透明原稿台から透過原稿フィルムが多少離れていても問題なくフィルムを読取ることができ、透明原稿フィルムの端部を上下方向から押さえ込むフィルムホルダーを透明原稿台に載置して読取を行っていた。この場合、圧板に内蔵された光源を用いて透過原稿フィルムを照明する構成であり、透過原稿フィルムに面光源が接触することはなかった（特許文献１参照）。また、小型の光源を用いる場合でも、透過原稿フィルムと光源との不用意な接触に関しては考慮されていなかった（特許文献２参照）。
【０００３】
【特許文献１】
特開２０００−３５８１３２号公報（図１、図４）
【特許文献２】
特開２００３−００８８３５号公報（第３３段落、図１、図６）
【０００４】
【発明が解決しようとする課題】
しかしながら、近年、装置の薄型小型化省電力化を目的として、ロッドレンズアレーの様な等倍の結像レンズを有する原稿台密着型読取りセンサーを用いた画像読取装置がある。このような装置に透過原稿照明ユニットを搭載してフィルムを読取ろうとすると、結像レンズの被写界深度が浅いため、フィルムホルダーでフィルムの上下を押さえ込むことができず、透明原稿台ガラスに直接フィルムを置くことになる。その上に透過原稿照明ユニットを配置することになるが、装置の省電力化に際し、透過原稿フィルムの１コマ分程度の大きさの小型面光源を用いた透過原稿照明ユニットを使用することがある。この場合、面光源部分がフィルムと平行になるように注意して設置しないと、透過原稿照明ユニットの端部の角がフィルムに接触してフィルムを傷つけてしまうことがあった。
【０００５】
【課題を解決するための手段】
本発明は、上記課題を解決するためになされたものであり、以下の構成を有する。
１、原稿を載置するための透明原稿台と、透過原稿を、前記透明原稿台の所定位置に載置するための透過原稿ホルダーと、前記透過原稿ホルダーに装着し、前記透過原稿を照明するための面光源を有する透過原稿照明ユニットと、前記透過原稿照明ユニットにより照明された前記透過原稿の画像を前記透明原稿台を介して読み取るための画像読取ユニットとを有し、前記透過原稿照明ユニットと前記透過原稿ホルダーは互いに勘合する凹凸を有し、前記透過原稿照明ユニットを前記透過原稿ホルダーに装着するときに、前記凹凸は、透過原稿照明ユニットの面光源の発光面が透明原稿台と略平行の状態で透明原稿台方向に移動するようにガイドすることを特徴とする画像読取装置。
２、１に記載の画像読取装置において、前記凹凸部の勘合するガイド面は、前記透明原稿台に略垂直な面であることを特徴とする。
３、画像読取装置の透明原稿台の上に載置し、透過原稿の位置決めをする透過原稿ホルダーと、前記透過原稿ホルダーに装着し、前記透過原稿を照明するための面光源を有する透過原稿照明ユニットとを有し、前記透過原稿照明ユニットと前記透過原稿ホルダーは互いに勘合する凹凸を有し、前記透過原稿照明ユニットを前記透過原稿ホルダーに装着するときに、前記凹凸は、透過原稿照明ユニットの面光源の発光面が透明原稿台と略平行の状態で透明原稿台方向に移動するようにガイドすることを特徴とする透過原稿照明装置。
【０００６】
以上の構成とすることで、透過原稿照明ユニットをフィルムホルダーに装着するときに、光源面の端部がフィルムに接触して傷をつけるのを防止することができる。
【０００７】
【発明の実施の形態】
以下に、図面に基づいて本発明を適用した実施形態を詳細に説明する。
【０００８】
図８は本発明の実施形態における、画像読取装置本体を示す図であり、１００は画像読取装置本体、１０１はベースフレーム、１０２は原稿台ガラス、１０３，１０４はガラス取付フレーム、１１０は原稿台密着型センサー、１２０は圧板、１２１は圧板のヒンジであり、反射原稿読取モードと透過原稿読取モードを切り替えて使用できる。
【０００９】
反射原稿読取モードの時は、ユーザーは、原稿台ガラス１０２の上に原稿を置き、圧板１２０を閉める。パソコン（図示せず）のスタートボタンを押すと、原稿台密着型センサー１１０は内蔵したＲ，Ｇ，ＢのＬＥＤを点灯させながら矢印Ａの方向に移動して、反射された画像を内蔵した光電変換素子アレイで読取り、電気信号に変換し、パソコンに転送する。
【００１０】
次に、透過原稿読取モードの時を、図１から図６に順に説明する。
【００１１】
図１は、本発明の画像読取装置にて透過原稿を読取る場合の斜視図であり、１はフィルムホルダーで、原稿台ガラス１０２の上に設置し、フィルムＦをその中に位置決めする穴１ｃを有する。２は透過原稿照明ユニットで、フィルムホルダーに位置決めされたフィルムＦの上で、フィルムホルダーの穴１ｃに装着する。
【００１２】
図２は、画像読取装置本体１００にフィルムホルダー１を装着する図である。ユーザーはフィルムホルダーに形成されている爪１ａ，１ｂをガラス取付フレームの窪み１０３ａ，１０３ｂに嵌め込み、画像読取装置本体１００に対して原稿台ガラスに平行な方向で位置決めする。フィルムホルダー１は、原稿台ガラス１０２に自重で乗ることにより、上下方向は位置決めされる。
【００１３】
図３は、透過原稿照明ユニット２の展開図である。４は、面光源体であり、ＲＧＢおよび赤外のＬＥＤを内蔵している。ＬＥＤの端子４ａ，４ｂ・・・は、基板５のパターンに半田付けされ、基板５上のコネクタ５ａにつながっている。基板５は、面光源体４の爪部４ｈにより、固定されている。面光源体４は、基台６に挿入され、固定されている。ケーブル３のコネクタ部３ａは、基板上のコネクタ５ａに嵌め込まれ、カバー７は、基台６に、ビス８で固定されている。
【００１４】
ユーザーは、前述のようにフィルムホルダー１を画像読取装置本体１００に位置決めした後、図１に示すようにフィルムＦをフィルムホルダー１の穴部１ｃに挿入し、位置決め指標１ｄにフィルムのコマをあわせて位置決めする。透過原稿照明ユニット２のケーブル３を、図２に示す画像読取装置本体１００のコネクタ１０１ａに接続する。次に、ユーザーは、図４に示すように（突出部６ｇ省略）、透過原稿照明ユニット２の基台６の突出部６ａ、６ｂ、６ｃをフィルムガイドの凹み部１ａ、１ｂ、１ｃに嵌め込む。突出部６ａ、６ｂ、６ｃの面と、凹み部１ａ、１ｂ、１ｃの壁は原稿面に垂直に形成されている。図５（１）はフィルム長手方向の断面であるが、図５に示すように、ユーザーが透過原稿照明ユニット２を斜めに挿入すると、基台６の突出部６ｃの端部が、図５（２）→（３）→（４）の順に、（２）突起部６ｃの片方の壁がフィルムホルダー１のくぼみ１ｃの角部にあたり、次に（３）フィルムガイドのくぼみ部１ｃの反対の壁に突起部６ｃの反対の角があたり、その後（４）ガイドされてほぼ平行に姿勢が矯正され、図６に示すように、面光源４がフィルムＦに到達する前に、面光源４はフィルムと平行になる。面光源４は透過原稿照明ユニット２の自重でフィルムの上に乗る。突起部６ｃの底面は、フィルムガイドのくぼみ１ｃの底面には接触していない。
【００１５】
図７に示すように、ユーザーは圧板を閉める。圧板は透過原稿照明ユニットの上に乗り、フィルムがカールしていても良好にフィルムを押さえつけることができる。
【００１６】
ユーザーがパソコン上のスタートボタンを押すと、図１に示すように、画像読取装置本体１００に内蔵された原稿台密着型センサー１１０は点灯せずに矢印Ａの方向に走査し、面光源４はＲＧＢのＬＥＤがセンサー１１０の走査に同期して順次点灯し、面光源４により照射された画像を、光電変換して、読み取り、パソコンに転送する。
【００１７】
【発明の効果】
以上説明したように、フィルムホルダーの穴部にフィルムを位置決めし、フィルムホルダーに透過原稿照明ユニットを嵌め込む方式にし、フィルムホルダーと透過原稿照明ユニットの双方に、透過原稿照明ユニットの光源面が原稿面に平行の状態でフィルムに近づくようなガイドを設けたので、透過原稿照明ユニットの光源面の角がフィルムに接触して傷できるのを防止することができた。
【図面の簡単な説明】
【図１】本発明の透過原稿読み取りの斜視図
【図２】画像読取装置本体にフィルムガイドを嵌め込む図
【図３】透過原稿照明ユニットの詳細図
【図４】フィルムガイドに透過原稿照明ユニットを嵌め込む図
【図５】透過原稿照明ユニットをフィルムガイドに斜めに挿入する図
【図６】透過原稿照明ユニットの面光源が、フィルムに面接触した図
【図７】圧板を閉めた図
【図８】画像読取装置本体の図
【符号の説明】
１  フィルムホルダー
２  透過原稿照明ユニット
３  ケーブル
４  面光源体
５  基板
６  基台
７  カバー
１００  画像読取装置本体
１０１  ベースフレーム
１０２  原稿台ガラス
１０３  ガラス取付フレーム
１１０  原稿台密着型センサー
１２０  圧板
１２１  ヒンジ
【図１】
2004363894.tif 000003
【図２】
2004363894.tif 000004
【図３】
2004363894.tif 000005
【図４】
2004363894.tif 000006
【図５】
2004363894.tif 000007
【図６】
2004363894.tif 000008
【図７】
2004363894.tif 000009
【図８】
2004363894.tif 000010